(57)【要約】【課題】  ラベルを際立たせる発光装置及びその発光方法を提供する。【解決手段】  主にバックボード及びバックライトモジュールを具えたディスプレー装置に適用するラベルの発光装置及び発光方法で、少なくともラベル、電力モジュール及び発光モジュールを含む、ラベルはバックボード上に設置し、電力モジュールは該バックライトモジュールに近い位置に設置し、バックライトモジュールのバックライトを吸収し、電力を発生する。発光モジュールはラベルに近い位置に設置し、電力を受け取り光線を発生し、ラベルに光線を投射することにより、ラベルの外観の美しさを増強し、ブランドを際立たせる。【選択図】  図１
2007156436.tif 000002
【特許請求の範囲】
【請求項１】
主にディスプレー装置に適用し、該ディスプレー装置はバックボード及びバックライトモジュールを具えるとともに、発光装置は少なくともラベル、電力モジュール、発光モジュールを含み、
前記ラベルは前記バックボード上に設置し、
前記電力モジュールは前記バックライトモジュールに近い位置に設置し、該バックライトモジュールのバックライトを吸収し電力を発生し、
前記発光モジュールは前記ラベルに近い位置に設置し、前記電力を受け取り光線を発生して前記ラベルに投射することを特徴とする発光装置。
【請求項２】
前記ディスプレー装置は、液晶ディスプレーであることを特徴とする請求項１記載の発光装置。
【請求項３】
前記ラベルは少なくとも一文字であることを特徴とする請求項１記載の発光装置。
【請求項４】
前記ラベルは、少なくとも一図案であることを特徴とする請求項１記載の発光装置。
【請求項５】
前記電力モジュールは、集光板及び光電池を含むことを特徴とする請求項１記載の発光装置。
【請求項６】
前記集光板は、前記バックライトを吸収し、該バックライトを電力に転換することを特徴とする請求項１記載の発光装置。
【請求項７】
前記光電池は、前記電力を貯蔵することを特徴とする請求項１記載の発光装置。
【請求項８】
前記発光モジュールは、前記電力モジュールに電気的に接続することを特徴とする請求項１記載の発光装置。
【請求項９】
前記発光モジュールは、複数の発光ダイオード及び制御ユニットを含むことを特徴とする請求項１記載の発光装置。
【請求項１０】
前記制御ユニットは、前記電力受け取りを前記発光ダイオードの制御することを特徴とする請求項９記載の発光装置。
【請求項１１】
前記発光ダイオードは、複数の異なる色彩の発光ダイオードであることを特徴とする請求項９記載の発光装置。
【請求項１２】
前記発光ダイオードは、複数の同一の色彩の発光ダイオードであることを特徴とする請求項９記載の発光装置。
【請求項１３】
主にディスプレー装置に適用し、該ディスプレー装置はバックボード及びバックライトモジュールを具え、該発光方法は少なくとも以下のステップを含み、
予めラベルを該バックボード上に設置し、
電力モジュールを該バックライトモジュールに近い位置に設置し、該バックライトモジュールのバックライトを吸収し、電力を発生し、
発光モジュールは該ラベルに近い位置に設置し、該電力を受け取り光線を発生し該ラベルに投射することを特徴とする発光方法。
【請求項１４】
前記発光方法は、さらに液晶ディスプレーを該ディスプレー装置として提供することを特徴とする請求項１３記載の発光方法。
【請求項１５】
前記発光方法は、さらに少なくとも一文字を該ラベルとして提供することを特徴とする請求項１３記載の発光方法。
【請求項１６】
前記発光方法は、さらに少なくとも一図案を該ラベルとして提供することを特徴とする請求項１３記載の発光方法。
【請求項１７】
前記発光方法は、さらに集光板及び光電池を該電力モジュールとして提供することを特徴とする請求項１３記載の発光方法。
【請求項１８】
前記発光方法は、さらに該集光板により該バックライトを吸収し、該バックライトを電力に転換することを特徴とする請求項１７記載の発光方法。
【請求項１９】
前記発光方法は、さらに該光電池を含み該電力を貯蔵することを特徴とする請求項１７記載の発光方法。
【請求項２０】
前記発光方法は、さらに該発光モジュールを該電力モジュールに電気的に接続することを特徴とする請求項１３記載の発光方法。
【請求項２１】
前記発光方法はさらに複数の発光ダイオード及び制御ユニットを該発光モジュールとして提供することを特徴とする請求項１３記載の発光方法。
【請求項２２】
前記発光方法は、さらに該制御ユニットを利用し、該発光ダイオードの該電力受け取りを制御することを特徴とする請求項２１記載の発光方法。
【請求項２３】
前記発光方法は、さらに複数の異なる色彩の発光ダイオードを該発光ダイオードとして提供することを特徴とする請求項２１記載の発光方法。
【請求項２４】
前記発光方法は、さらに複数の同一の色彩の発光ダイオードを該発光ダイオードとして提供することを特徴とする請求項２１記載の発光方法。
【発明の詳細な説明】
【技術分野】
【０００１】
本発明は、一種の発光装置及びその発光方法に関する。特に、一種の電力モジュールを利用し、光エネルギーを電力に転換し発光ダイオードに供給しラベルに投射することで発光表示効果を具える発光装置及びその発光方法に係る。
【背景技術】
【０００２】
科学技術の進歩に従い、ディスプレー装置は急速な発展を遂げ、初期のＣＲＴディスプレー(Cathode Ray Tube)から今では液晶ディスプレーに進化している。現在ではディスプレー装置を通して各種電子装置を使用し、或いは映画やテレビ等を観賞する生活スタイルが徐々に定着しつつある。この状況において、製造者は設計に工夫を凝らしその外観はますます多様化し、精緻になっている。
一般には、液晶ディスプレーの多くは長方形状で、しかも、そのケース上には多くは該ディスプレーのブランドを示すラベルがプリントされている。しかし該ラベルのデザインは直接異なる図案或いは色彩により表示する他には、ケースそのものの制限を受け様々に変化させることはできない。
このように、液晶ディスプレーの外観は視覚的に消費者を満足させることはできず、しかも該液晶ディスプレーのブランドを際立たせることもできない。
さらに、液晶ディスプレー中のバックライトモジュールはそのキーパーツの一つであるが、液晶そのものは発光特性を具えないため、バックライトモジュールの機能は充分な輝度と均一に分布する光線を液晶ディスプレーに提供し、液晶ディスプレーに正常に影像を表示させることである。しかし、該バックライトモジュールが提供する光線は液晶ディスプレーに発光表示をさせる用途にだけ用い、その他の利用方法がないが、これでは大きな浪費である。
【特許文献１】特開平０８−２０２６６２号公報
【発明の開示】
【発明が解決しようとする課題】
【０００３】
公知構造には以下の欠点があった。
すなわち、通常液晶ディスプレーの枠体等のケース上には該ディスプレーのブランドを示すラベルがプリントされているが、該ラベルのデザインは異なる図案や色彩により直接的に表示するだけで、ケース自体の制限を受け多様に変化させることはできないため、液晶ディスプレーの外観は視覚的に消費者を満足させることはできず、しかも該液晶ディスプレーのブランドを際立たせることもできない。さらに液晶ディスプレー中のバックライトモジュールが提供する光線は液晶ディスプレーに発光表示をさせる用途にだけ用い、その他の利用方法がないため、大きな浪費である。
本発明は上記構造の問題点を解決したもので、ディスプレーのバックボード上のブランドを示すラベルを際立たせる発光装置及びその発光方法を提供するものである。
【課題を解決するための手段】
【０００４】
上記課題を解決するため、本発明は下記のラベルの発光装置及びその発光方法を提供する。
それは、主に発光装置及びその方法を提供し、電力モジュールを利用し、光線を転換し電力を発生し、発光ダイオードに提供し、ケース上のラベルを発光させ、すなわち、それはバックボード及びバックライトモジュールを具えたディスプレー装置に適用し、本装置は少なくともラベル、電力モジュール及び発光モジュールを含み、該ラベルは該バックボード上に設置し、しかも該電力モジュールは該バックライトモジュールに近い位置に設置し、該バックライトモジュールのバックライトを吸収し電力を発生し、該発光モジュールは該ラベルに近い位置に設置し、電力を受け取り光を発生し、該ラベルに投射し、発光表示作用を発揮させ、またその発光方法はバックボード及びバックライトモジュールを具えたディスプレー装置に適用し、本方法は少なくとも以下のステップを含むもので、予め該ラベルを該バックボード上に設置し、該電力モジュールを該バックライトモジュールの近くに設置し、該バックライトモジュールのバックライトを吸収し電力を発生し、該発光モジュールを該ラベルの近くに設置し、電力を受け取り光を発生し、該ラベルに投射し発光表示機能を実現し、これにより外観の美しさを増強し、ブランドを際立たせる目的を達成することを特徴とする発光装置及び発光方法である。
【０００５】
すなわち、請求項１の発明は、主にディスプレー装置に適用し、該ディスプレー装置はバックボード及びバックライトモジュールを具えるとともに、発光装置は少なくともラベル、電力モジュール、発光モジュールを含み、前記ラベルは前記バックボード上に設置し、前記電力モジュールは前記バックライトモジュールに近い位置に設置し、該バックライトモジュールのバックライトを吸収し電力を発生し、前記発光モジュールは前記ラベルに近い位置に設置し、前記電力を受け取り光線を発生して前記ラベルに投射することを特徴とする発光装置である。
【０００６】
請求項２の発明は、前記ディスプレー装置が、液晶ディスプレーであることを特徴とする請求項１記載の発光装置である。
請求項３の発明は、前記ラベルが少なくとも一文字であることを特徴とする請求項１記載の発光装置である。
請求項４の発明は、前記ラベルが、少なくとも一図案であることを特徴とする請求項１記載の発光装置である。
請求項５の発明は、前記電力モジュールが、集光板及び光電池を含むことを特徴とする請求項１記載の発光装置である。
請求項６の発明は、前記集光板が、前記バックライトを吸収し、該バックライトを電力に転換することを特徴とする請求項１記載の発光装置である。
請求項７の発明は、前記光電池が、前記電力を貯蔵することを特徴とする請求項１記載の発光装置である。
請求項８の発明は、前記発光モジュールが、前記電力モジュールに電気的に接続することを特徴とする請求項１記載の発光装置である。
請求項９の発明は、前記発光モジュールが、複数の発光ダイオード及び制御ユニットを含むことを特徴とする請求項１記載の発光装置である。
請求項１０の発明は、前記制御ユニットが、前記電力受け取りを前記発光ダイオードの制御することを特徴とする請求項９記載の発光装置である。
請求項１１の発明は、前記発光ダイオードが、複数の異なる色彩の発光ダイオードであることを特徴とする請求項９記載の発光装置である。
請求項１２の発明は、前記発光ダイオードが、複数の同一の色彩の発光ダイオードであることを特徴とする請求項９記載の発光装置である。
【０００７】
請求項１３の発明は、主にディスプレー装置に適用し、該ディスプレー装置はバックボード及びバックライトモジュールを具え、該発光方法は少なくとも以下のステップを含み、予めラベルを該バックボード上に設置し、電力モジュールを該バックライトモジュールに近い位置に設置し、該バックライトモジュールのバックライトを吸収し、電力を発生し、発光モジュールは該ラベルに近い位置に設置し、該電力を受け取り光線を発生し該ラベルに投射することを特徴とする発光方法である。
【０００８】
請求項１４の発明は、前記発光方法が、さらに液晶ディスプレーを該ディスプレー装置として提供することを特徴とする請求項１３記載の発光方法である。
請求項１５の発明は、前記発光方法が、さらに少なくとも一文字を該ラベルとして提供することを特徴とする請求項１３記載の発光方法である。
請求項１６の発明は、前記発光方法が、さらに少なくとも一図案を該ラベルとして提供することを特徴とする請求項１３記載の発光方法である。
請求項１７の発明は、前記発光方法が、さらに集光板及び光電池を該電力モジュールとして提供することを特徴とする請求項１３記載の発光方法である。
請求項１８の発明は、前記発光方法が、さらに該集光板により該バックライトを吸収し、該バックライトを電力に転換することを特徴とする請求項１７記載の発光方法である。
請求項１９の発明は、前記発光方法が、さらに該光電池を含み該電力を貯蔵することを特徴とする請求項１７記載の発光方法である。
請求項２０の発明は、前記発光方法が、さらに該発光モジュールを該電力モジュールに電気的に接続することを特徴とする請求項１３記載の発光方法である。
請求項２１の発明は、前記発光方法が、さらに複数の発光ダイオード及び制御ユニットを該発光モジュールとして提供することを特徴とする請求項１３記載の発光方法である。
請求項２２の発明は、前記発光方法は、さらに該制御ユニットを利用し、該発光ダイオードの該電力受け取りを制御することを特徴とする請求項２１記載の発光方法である。
請求項２３の発明は、前記発光方法が、さらに複数の異なる色彩の発光ダイオードを該発光ダイオードとして提供することを特徴とする請求項２１記載の発光方法である。
請求項２４の発明は、前記発光方法が、さらに複数の同一の色彩の発光ダイオードを該発光ダイオードとして提供することを特徴とする請求項２１記載の発光方法。
【発明の効果】
【０００９】
上記のように、本発明の発光装置はバックライトモジュールの光線と電力モジュールの組み合わせを利用し、発光ダイオードを対応させることにより、バックボード上のラベルを発光ダイオードで発光させることができる。こうして、浪費していたディスプレー装置の額外のバックライトの電力を利用して、ラベルの外観の美しさを増強し、ブランドを際立たせる目的を達成する。
【発明を実施するための最良の形態】
【００１０】
本発明の好適な実施例の発光装置の指示図である図１に示すように、発光装置12はラベル121、電力モジュール122及び発光モジュール123を含み、バックボード111及びバックライトモジュール112を具えたディスプレー装置11に適用する。
前記ラベル121は、前記ディスプレー装置11のケース等のバックボード111上に設置し、このバックボード111は、例えば、所謂バックライトボードではなく、ノート型パソコンのディスプレイ装置１１の裏側の外殻で、ノート型パソコンの蓋を閉じた状態で、最上面（蓋）の外殻であり、しかも、該ラベル121は少なくとも一文字或いは一図案である。
前記電力モジュール122は該バックボード111と該バックライトモジュール112間に設置し、前記バックライトモジュール112に近い位置に設置し、該バックライトモジュール112のディスプレー装置の額外のバックライト1121の光を吸収し、電力を発生する。
前記発光モジュール123は該ラベル121と該電力モジュール122間に設置し、電力を受け取り光を発生し、該ラベル121に投射する。
【００１１】
本発明の実施例のラベルの指示図である図２に示すように、前記ラベル121は該バックボード111上に設置し、しかも該ラベル121は少なくとも一文字或いは少なくとも一図案である。図示のラベル121は文字例である。
【００１２】
本発明の実施例の発光装置の指示図である図３に示すように、該発光装置12は該ディスプレー装置11に適用する。該ディスプレー装置11はバックライトモジュール112を具え、しかも、該発光装置12はラベル121、電力モジュール122及び発光モジュール123を含む。
前記バックライトモジュール112はバックライト1121を提供する。
前記電力モジュール122は集光板31及び光電池32を含み、該集光板31はバックライト1121の光を吸収し、該バックライト1121の光量を電力33に転換し、前記光電池32を利用し電力33を貯蔵する。
前記発光モジュール123は、複数の発光ダイオード34及び制御ユニット35を含み、しかも、電力モジュール122において電気的接続36し、これにより該発光モジュール123に電力33を提供する。該制御ユニット35が電力33を受け取ると、該制御ユニット35により該発光ダイオード34に電力を供給し、光線37を発生し該ラベル121に投射する。
【００１３】
本発明の実施例の発光装置のプロセス図である図４に示すように、本発明の実施例の方法は少なくとも以下のステップを含む。
スタートから始め、予めラベルをバックボード上に設置する(S41)。次に、電力モジュールをバックライトモジュールの近くに設置し、バックライトモジュールのバックライトを吸収し、電力を発生する(S42)。さらに、発光モジュールをラベルの近くに設置し、電力を受け取り光を発生し、該ラベルに投射する(S43)。最後にプロセス全体を終了する。
【００１４】
本発明の実施例の光電池及び基板の回路図である図５に示すように、本発明光電池及び基板の回路は光電池32及び発光モジュール123を含む。
該発光モジュール123上には制御ユニット35、黄色発光ダイオードなどの第一発光ダイオード51、緑色発光ダイオードなどの第二発光ダイオード52及び赤色発光ダイオードなどの第三発光ダイオード53を含む。
該発光モジュール123は光電池32に電気的に接続36し、該光電池32の電力を受け取る。該発光モジュール123の制御ユニット35を利用し、時間差で電力を受け取るよう、該第一発光ダイオード51、該第二発光ダイオード52及び該第三発光ダイオード53を制御する。また該第一発光ダイオード51、該第二発光ダイオード52及び該第三発光ダイオード53は順番に電力を受け取る例では、該発光モジュールは順番に黄色の光線、緑色の光線及び赤色の光線を発する。これら発光モジュール自体の発光しラベルに光線を投射することにより、ラベルは異なる色彩変化を生じ、外観の美しさを増強し、ブランドを際立たせる目的を達成する。
なお、本発明の特徴を損なうものでなければ、上記実施例に限定されるものでないことは勿論である。
【図面の簡単な説明】
【００１５】
【図１】本発明の実施例の発光装置の指示図である。
【図２】本発明の実施例のラベルの指示図である。
【図３】本発明の実施例の発光装置及び発光方法のブロック図である。
【図４】本発明の実施例の発光装置及び発光方法のプロセス図である。
【図５】本発明の実施例の光電池及び発光モジュールの回路図である。
【符号の説明】
【００１６】
11  ディスプレー装置
111  バックボード
112  バックライトモジュール
1121  バックライト
12  発光装置
121  ラベル
122  電力モジュール
123  発光モジュール
31  集光板
32  光電池
33  電力
34  複数の発光ダイオード
35  制御ユニット
36  電気的接続
37  光線
S41〜S43  プロセス
51  第一発光ダイオード
52  第二発光ダイオード
53  第三発光ダイオード
【図１】
2007156436.tif 000003
【図２】
2007156436.tif 000004
【図３】
2007156436.tif 000005
【図４】
2007156436.tif 000006
【図５】
2007156436.tif 000007